(57)【要約】  テープロールハウジングと２つのカバープレートとを含むテープディスペンサについて記載する。第１のカバープレートは、テープロールハウジングを越えて延びており、第１のカバープレートをテープロールハウジングから外してテープロールハウジング内に手が届くようにするための単純かつ簡単な機構をもたらす外側に延びているフランジを含む。【選択図】図１
2012517395.tif 000002
【特許請求の範囲】
【請求項１】
第１の側部と第２の側部とを有し、前記第１の側部と前記第２の側部との間に、ハウジング外辺部を形成する保護壁が含まれ、前記保護壁がディスペンサ開口部と刃先とを含むテープロールハウジングと、
第１のカバープレート外辺部を含む、前記テープロールハウジングの前記第１の側部に隣接する第１のカバープレートと、
第２のカバープレート外辺部を含む、前記テープロールハウジングの前記第２の側部に隣接する第２のカバープレートと、
を含み、
少なくとも前記第１のカバープレートが、前記テープロールハウジングから取り外し可能であり、前記第１のカバープレート外辺部の少なくとも一部が、第１の横方向フランジを形成するように、前記テープロールハウジング外辺部よりも大きい、テープディスペンサ。
【請求項２】
前記ハウジング外辺部が環状であり、前記第１のカバープレート外辺部が環状であり、前記第１の横方向フランジが前記保護壁の周り全体に延びているようになっている、請求項１に記載のテープディスペンサ。
【請求項３】
前記第２のカバープレートがテープ芯支持部を更に含む、請求項１に記載のテープディスペンサ。
【請求項４】
前記テープ芯支持部が、前記第２のカバープレートの中心から外れて配置されている、請求項３に記載のテープディスペンサ。
【請求項５】
前記第１のカバープレートのみが、前記テープロールハウジングから取り外し可能である、請求項１に記載のテープディスペンサ。
【請求項６】
前記第１のカバープレートと前記第２のカバープレートとの両方が、前記テープロールハウジングから取り外し可能である、請求項１に記載のテープディスペンサ。
【請求項７】
前記第２のカバープレート外辺部の少なくとも一部が、第２の横方向フランジを形成するように前記テープロールハウジング外辺部よりも大きい、請求項１に記載のテープディスペンサ。
【請求項８】
前記ハウジング外辺部が環状であり、前記第１のカバープレート外辺部が環状であり、前記第２のカバープレート外辺部が環状であり、前記第１の横方向フランジと第２の横方向フランジとが、前記保護壁全体の周囲に延びるようになっている、請求項７に記載のテープディスペンサ。
【請求項９】
前記第１のカバープレートが前記テープロールハウジングの前記第１の側部を完全に覆う、請求項１に記載のテープディスペンサ。
【請求項１０】
前記ディスペンサ開口部と直接隣接する仮置き面を更に含み、前記仮置き面が前記刃先と垂直である、請求項１に記載のテープディスペンサ。
【発明の詳細な説明】
【技術分野】
【０００１】
本開示はテープディスペンサに関する。具体的には、本開示は、テープロールハウジングと２つのカバープレートとを含み、カバープレートのうちの少なくとも１つが、テープロールハウジングからカバープレートを外すのを補助するための、外側に延びるフランジを含むテープディスペンサに関する。
【背景技術】
【０００２】
従来のテープディスペンサは、テープロールの芯を保持するテープロール支持部と、そのテープロール支持部から切刃まで延びる側壁とを有する場合が多い。これらのタイプのディスペンサでは、テープロールの片側が露出したままになる。露出した側は、ごみ、ちり、又はその他のくずで汚染されることがある。両面テープディスペンサを用いて、テープロールを更に収容することができる。これらのタイプの従来の両面テープディスペンサは、米国意匠特許第５１０９５１号に示されているように、テープロールを覆う第２の側壁を含む。テープロール支持部を開いてテープロール支持部に手が届くように、側壁は、典型的には相互にねじり合っている。
【０００３】
テープをディスペンサ内に完全に隠すことができるテープディスペンサは、２００６年１１月３日に出願された米国特許出願公開第２００８／０１０５７２３号、及び２００４年１０月２１日に公開され、２００３年６月５日に出願された台湾実用新案第Ｍ２４７５７２号に開示されている。このテープディスペンサでは、テープロール支持部に手が届くように、カバープレートの開口部に指を挿入することによって、カバープレートを引き抜くことができる。
【発明の概要】
【発明が解決しようとする課題】
【０００４】
しかし、この開口部は、ごみ、ちり、又はその他のくずの侵入部を作ってテープを汚染する。
【課題を解決するための手段】
【０００５】
２つのカバープレートと、テープロールを支持するためのテープロールハウジングとを含むテープディスペンサについて説明する。第１のカバープレートは、テープロールハウジングを越えて延びており、第１のカバープレートをテープロールハウジングから外してテープロールハウジング内に手が届くようにするための単純かつ簡単な機構をもたらす、外側に延びるフランジを含む。
【０００６】
１つの実施形態では、テープディスペンサは、第１の側部と第２の側部とを有するテープロールハウジングを含み、この第１の側部と第２の側部との間には、ハウジング外辺部を形成する保護壁を含む。この保護壁は、ディスペンサ開口部と刃先とを含む。このテープディスペンサは、テープロールハウジングの第１の側部に隣接する第１のカバープレートを更に含み、第１のカバープレート外辺部を含む。このテープディスペンサは、テープロールハウジングの第２の側部に隣接する第２のカバープレートを更に含み、第２のカバープレート外辺部を含む。少なくとも第１のカバープレートは、テープロールハウジングから取り外し可能であり、第１のカバープレート外辺部の少なくとも一部は、第１の横方向フランジを形成するように、テープロールハウジング外辺部よりも大きい。
【図面の簡単な説明】
【０００７】
【図１】テープディスペンサの１つの実施形態の分解斜視図。
【図２】図１のテープディスペンサの組み立て斜視図。
【図３】図１のテープディスペンサの側面図。
【図４】図１のテープディスペンサの断面図。引き出されたテープを示している。
【図５】図１のテープディスペンサの断面図。可動カバー内に収められているテープが示されている。
【図６】テープディスペンサの別の実施形態の分解斜視図。
【図７】テープディスペンサの別の実施形態の分解斜視図。
【０００８】
上記の図面は本開示の実施形態を表しているが、説明において述べるように、他の実施形態もまた想到される。いかなる場合も、本開示は、本発明を、限定するのではなく代表して提示するものである。発明の範囲及び趣旨の中で、多くの他の修正及び実施形態が、当業者によって考案され得ることを理解されたい。図面は縮尺通りに描かれていない場合がある。
【発明を実施するための形態】
【０００９】
図１は、テープロール５００を引き出すためのテープディスペンサ１００の１つの実施形態の分解斜視図である。図２は、図１のテープディスペンサの組み立て斜視図であり、図３は、図１のテープディスペンサの側面図である。
【００１０】
テープディスペンサ１００は、テープロールハウジング２００と、第１のカバープレート３００と、第２のカバープレート４００とを含む。テープロールハウジング２００は、第１のカバープレート３００に隣接する第１の側部２０２と、第２のカバープレート４００に隣接する第２の側部２０４とを含む。テープロールハウジング２００の第１の側部２０２と第２の側部２０４との間には、保護壁２０６が含まれている。この実施形態では、保護壁２０６は、その中に収容される環状のテープロール５００の輪郭に従うように環状になっている。しかし、保護壁２０６の形は、他の形、サイズ又は構成であってよもい。保護壁２０６は、支持されるテープロール５００の中心軸からの最外延長部であるハウジング外辺部２０７を形成する。この実施形態では、ハウジング外辺部２０７は環状である。しかし、保護壁は様々な形及びサイズを含むことができるので、ハウジング外辺部２０７は、様々な形及びサイズを含むことができる。この実施形態では、保護壁２０６沿いには、連結ペグ３１０（後述）と嵌合して第１のカバープレート３００をテープロールハウジング２００に連結させる複数の連結開口部２０８がある。
【００１１】
少なくとも第１のカバープレート３００は、テープロールハウジング２００から取り外し可能である。この実施形態では、第１のカバープレート３００は、テープロールハウジング２００の連結開口部２０８と嵌合する連結ペグ３１０を含む。連結ペグ３１０と連結開口部２０８との間のこの摩擦嵌合によって、第１のカバープレート３００がテープロールハウジング２００に固定される。様々な他の連結機構を用いて、第１のカバープレート３００をテープロールハウジング２００に連結できることが理解される。例えば、第１のカバープレート３００とテープロールハウジング２００にねじを切って、互いに対して回転させることによって締めたり緩めたりできるようにしてもよい。あるいは、他の機械的締結システム、摩擦嵌合システム、又はスナップロッキングシステムを用いてもよい。上記にかかわらず、以下に記載するように、ユーザーが第１のカバープレート３００をテープロールハウジング２００に装着したり、テープロールハウジング２００から外したりするのを補助するのは、第１のカバープレート３００の横方向に延びるフランジ３３０である。第１のカバープレート３００を引き抜くための更に容易な機構を有することによって、第１のカバープレート３００のテープロールハウジング２００への取り付けは更に強固であり得る。
【００１２】
第１のカバープレート３００は第１のカバー外辺部３２０を含む。第１のカバー外辺部３２０の少なくとも一部はテープロールハウジング外辺部２０７を越えて延び、第１の横方向フランジ３３０を形成する。この実施形態では、第１のカバー外辺部３２０の全体がテープロールハウジング外辺部２０７を越えて延びる。図２及び３は、第１の横方向フランジ３３０を更に明確に示している。第１の横方向フランジ３３０は、ユーザーが第１のカバープレート３００を引っ張って、テープロールハウジング２００との嵌合を解除しやすくするための掴める表面を提供する。
【００１３】
この実施形態では、第１のカバープレート３００はテープロールハウジング２００を完全に覆って、ハウジング内に収容されているテープロール５００に手が届くのを制限する。これによって、ごみ、ちり、又はその他のくずがテープロール５００の縁に接触して汚染するのを防ぐ。別の実施形態では、第１のカバープレート３００は、テープ５００の芯によって作られる開口部に一致する開口部を含んでもよい。
【００１４】
第２のカバープレート４００も、図６に示され説明されているようにテープロールハウジング２００から取り外し可能であってもよく、又はテープロールハウジング２００に取り外せないように固定されてもよい。図１は、テープロールハウジング２００と嵌合した第２のカバープレート４００を示す。第２のカバープレート４００は、第２のカバープレート外辺部４２０を含む。この実施形態では、第２のカバープレート外辺部４２０は、ハウジング外辺部２０７を越えて延びて第２の横方向フランジ４３０を形成するが、第２のカバープレート４００がテープロールハウジングから取り外し可能である実施形態では、理想的である。しかし、第２のカバープレート４００が取り外し可能であることは必須ではないので、第２のカバープレート外辺部４２０がハウジング外辺部２０７を越えて延びていることは必須ではない。第２のカバープレート４００がテープロールハウジング２００から取り外し可能ではない実施形態でも、第２の横方向フランジ４３０を形成して、ユーザーがテープディスペンサ１００を嵌合するための掴める表面を更に提供することが望ましいこともある。
【００１５】
第２のカバープレート４００がテープロールハウジング２００から取り外し可能である実施形態では、第２のカバープレート４００は、テープロールハウジング２００の連結開口部（見えない）と嵌合する連結ペグ４１０（図６）を含んでもよい。連結ペグ４１０と連結開口部との間のこの摩擦嵌合によって、第２のカバープレート４００がテープロールハウジング２００に固定される。
【００１６】
図１に示される実施形態では、第２のカバープレート４００はテープロール５００の縁を覆って、その中に収容されているテープロール５００へ手が届くのを制限するが、テープロール５００の芯と合わさる開口部を含む。これによって、ごみ、ちり、毛髪、又はその他のくずがテープロール５００の縁に接触して汚染するのを防ぐ。
【００１７】
第２のカバープレート４００は任意でテープ芯支持部４４０を含んでもよい。テープ芯支持部４４０は、テープロール５００の芯と嵌合して支持する。図１の実施形態に示されるように、テープ芯支持部４４０は、第２のカバープレート４００からテープロールハウジング２００内に延びる第１のインターロック４４２と第２のインターロック４４４とを含む。第１と第２のインターロック４４２、４４４とは多少屈曲して、テープロール５００を入れることができるが、第１と第２のインターロック４４２、４４４との末端部から外れないようにすることができる。別の実施形態では、テープ芯支持部４４０は、第２のカバープレート４００からテープロールハウジング２００内に延びている円形突出部（図１７）であることができる。上記にかかわらず、テープ芯支持部４４０は、テープロール５００をテープロールハウジング２００内にある状態で保持する補助をする。
【００１８】
テープディスペンサ１００はテープディスペンサ機構２１０を含むが、このテープディスペンサ機構２１０は少なくとも、テープロールハウジング２００の保護壁２０６内にあるディスペンサ開口部２１１と刃先２１２とを含む。ディスペンサ開口部２１１と刃先２１２との間には、取り出したテープ末端部を付着させてテープを掴めるようにして次の使用に備える面として機能する支持プレート２１４があってもよい。更に、図１に示される実施形態は、ノッチ２１８と嵌合して可動カバー２１５をロックされた閉鎖位置に保つロック用突起部２１６を備えた可動カバー２１５を含む。可動カバー２１５は、ヒンジ２１７によって保護壁２０６に連結するが、これにより、可動カバー２１５は、図４に示されるような開口位置から、図５に示されるような閉鎖位置まで旋回運動が可能になる。可動カバー２１５の機能については、２００６年１１月３日に出願された米国特許出願公開第２００８／０１０５７２３号に更に詳細に記載されている。図１、４及び５に詳細に示されるディスペンサ機構２１０によって、閉鎖位置にあるとき、テープロール５００をテープディスペンサ１００内に完全に収めることが可能になる。これによって、テープロール５００が汚染物質から保護される。図２及び３では、ディスペンサ機構２１０は示されていない。１つの実施形態では、可動カバー２１５は、横方向フランジ３３０、４３０の長さを越えて延びてはいない。
【００１９】
図６は、テープディスペンサ１００の分解斜視図である。このテープディスペンサ１００は、組み立てると、実質的に図２及び３に示されているような外観になる。テープディスペンサ１００は、テープロールハウジング２００と、第１のカバープレート３００と、第２のカバープレート４００とを含む。テープロールハウジング２００は、第１のカバープレート３００に隣接する第１の側部２０２と、第２のカバープレート４００に隣接する第２の側部２０４とを含む。テープロールハウジング２００の第１の側部２０２と第２の側部２０４との間には、保護壁２０６が含まれている。この実施形態では、保護壁２０６は、その中に収容される環状テープロール５００の輪郭に厳密に従うように環状になっている。保護壁２０６は、支持されるテープロール５００の中心を通って延びる中心軸からの最外延長部であるハウジング外辺部２０７を形成する。この実施形態では、ハウジング外辺部２０７は環状である。この実施形態では、保護壁２０６沿いには、連結ペグ３１０と嵌合して第１のカバープレート３００をテープロールハウジング２００に連結させる複数の連結開口部２０８がある。
【００２０】
この実施形態では、第１のカバープレート３００及び第２のカバープレート４００の双方とも、テープロールハウジング２００から取り外し可能である。カバープレート３００、４００はそれぞれ、テープロールハウジング２００の連結開口部２０８と嵌合する連結ペグ３１０、４１０を含む。この摩擦嵌合によって、第１のカバープレート３００と第２のカバープレート４００とがテープロールハウジング２００に固定される。他の連結機構を用いて、第１のカバープレート３００と第２のカバープレート４００とをテープロールハウジング２００に連結させてもよいことが理解される。
【００２１】
第１のカバープレート３００は第１のカバー外辺部３２０を含む。第１のカバー外辺部３２０の少なくとも一部はテープロールハウジング外辺部２０７を越えて延びて、第１の横方向フランジ３３０を形成する。第１のカバープレート３００はテープロールハウジング２００を完全に覆って、ハウジング内に収容されているテープロール５００に手が届くのを制限する。
【００２２】
第２のカバープレート４００は、第２のカバープレート外辺部４２０を含む。この実施形態では、第２のカバープレート外辺部４２０は、ハウジング外辺部２０７を越えて延びて、第２の横方向フランジ４３０を形成する。第２のカバープレート４００はテープロールハウジング２００を完全に覆って、ハウジング内に収容されているテープロール５００に手が届くのを制限する。
【００２３】
この実施形態では、第１のカバープレート３００と第２のカバープレート４００とのいずれも、テープ芯支持部４４０を含まない。その代わりに、テープロールハウジング２００がしっかりとテープロール５００を収容する。
【００２４】
テープディスペンサ１００はテープディスペンサ機構２１０を含むが、このテープディスペンサ機構２１０は、テープロールハウジング２００の保護壁２０６内にあるディスペンサ開口部２１１と刃先２１２とを含む。１つの実施形態では、刃先２１２は、横方向フランジ３３０、３４０の長さを越えて延びない。これによって、より安全な形で配置された刃先２１２をもたらす。
【００２５】
図７は、テープディスペンサ１００の分解斜視図である。このテープディスペンサ１００は、組み立てると、実質的に図２及び３に示されているような外観になる。テープディスペンサ１００は、テープロールハウジング２００と、第１のカバープレート３００と、第２のカバープレート４００とを含む。この実施形態では、第２のカバープレート４００は、テープロールハウジング２００に固定された状態で示されている。また、この実施形態では、第１のカバープレート４００は、連結ペグの代わりに、テープロールハウジング２００と一致し、摩擦嵌合（friction fite）によって嵌合する連結面３１０を含む。
【００２６】
第１のカバープレート３００は第１のカバー外辺部３２０を含む。第１のカバー外辺部３２０の少なくとも一部はテープロールハウジング外辺部２０７を越えて延びて、第１の横方向フランジ３３０を形成する（図３）。第１のカバープレート３００はテープロールハウジング２００を完全に覆って、ハウジング内に収容されているテープロール５００に手が届くのを制限する。
【００２７】
第２のカバープレート４００は、第２のカバープレート外辺部４２０を含む。この実施形態では、第２のカバープレート外辺部４２０は、ハウジング外辺部２０７を越えて延びて、第２の横方向フランジ４３０を形成する（図３）。第２のカバープレート４００はテープロールハウジング２００を完全に覆って、ハウジング内に収容されているテープロール５００に手が届くのを制限する。
【００２８】
この実施形態では、第２のカバープレート４００はテープ芯支持部４４０を含む。しかし、テープ芯支持部４４０は、図１に示されるように第２のカバープレート４００の中央にあるのではない。それどころか、テープ芯支持部４４０は中心から外れている。したがって、このディスペンサ１００を（図３に示されるように）机、テーブル、又はその他の類似の表面の上に立てて置くと、テープ芯支持部４４０上のテープ５００の重みによって、テープディスペンサが静止したままになり、前記表面の上で転がらないようになる傾向がある。この特徴は、前述した実施形態でも提供できることが理解される。
【００２９】
更に、この実施形態では、保持用脚部６０１、６０２が示されている。示されている保持用脚部６０１、６０２は、第１のカバープレート３００の外辺部沿いにある、外側に延びる突出部である。保持用脚部６０１、６０２は、第２のカバープレート４００の外辺部上にも配置されているが、図では見えない。保持用脚部６０１、６０２は、テープディスペンサ１００が表面の上で転がることなくテープディスペンサ１００を（図３に示されるように）立てて置けるようにする安定化面をもたらす。これらの位置決め脚部は、様々なサイズ及び数のものを含めてよいこと、及びこの位置決め脚部はテープロールハウジング２００から突出してよいことが理解される。この特徴は、前述した実施形態でも提供できることが理解される。
【００３０】
更に、この実施形態では、仮置き面２０９が確認される。仮置き面は、刃先でテープを切断する前にテープを貼り付ける表面である。例えば、テープをディスペンサ開口部２１１から所望の長さまで引き出してから、ユーザーはテープの表面を仮置き面２０９に貼り付けてテープを引き出すのを停止してから、テープを刃先２１２に当てながら引っ張る。この刃先は、刃先の長手方向の長さに沿ってｘ方向を、刃先の上方向突出部の概ね放射状に延びている長さに沿ってｙ方向を有するものとみなされる。一般に、従来のディスペンサは、刃先の長手方向のｘ方向と平行であるが、刃先のｙ軸とは垂直である仮置き面を有する。しかし、ここに示されているように、仮置き面２０９は、刃先２１２の長手方向のｘ軸とは平行であるが、概ね軸方向のｙ方向とも平行である。別の実施形態では、仮置き面と刃先は、互いに完全に平行である必要はなく、互いに対して０〜９０度の角度であってよい。平行に調整された仮置き面によって、仮置き面２０９に貼り付けられていると共に、刃先２１２に貼り付けられているテープによって「テント」を形成できるようにしてよい。これにより、次に使用する際、貼り付けられていないテープ縁部を掴みやすい。
【００３１】
本発明の具体的な実施形態を本明細書中に示し及び説明してきたが、これら実施形態は多くの考えられる具体的な構成を単に例示しているにすぎず、構成は本発明の原理を適用して考案され得ることは理解されよう。これらの原理にしたがって、当業者は、本発明の趣旨及び範囲から逸脱することなく、多数の様々な他の構成を考案することができる。したがって本発明の範囲は、本願に記載の構造に限定されるべきものではなく、「特許請求の範囲」の文言により述べられる構造及びそうした構造の均等物によってのみ限定されるものである。
【図１】
2012517395.tif 000003
【図２】
2012517395.tif 000004
【図３】
2012517395.tif 000005
【図４】
2012517395.tif 000006
【図５】
2012517395.tif 000007
【図６】
2012517395.tif 000008
【図７】
2012517395.tif 000009
【国際調査報告】
2012517395.tif 000010
2012517395.tif 000011